(57)【要約】【課題】デパートなどの商品券やビール券 ,図書券 ,米券などを、店頭で顧客の求めに応じて収容する、組立て作業と収容作業とが容易な商品券用の紙箱を提供する。【解決手段】本発明は、前後の側面板３ ,３と左右の側面板３ ,３とを折立てて成る、上面を開放した偏平直方体状の商品券用の紙箱であって、それぞれ繋止凸部ｃを有する三角形状の左右の飾り板７ ,７を折倒して、また台形状の前飾り板５と折込み繋止片６ ,９ ,１０とを折倒して、仮折り線ｆと谷折り線ｅとを谷折りした折込み繋止片６ ,９ ,１０を、左右の飾り板７ ,７の繋止凸部ｃ ,ｃを挟んで折込んで、この谷折りした仮折り線ｆを開くことによって、左右の飾り板７ ,７の繋止凸部ｃ ,ｃに折込み繋止片６ ,９を、また前側面板３に折込み繋止片１０を、それぞれ密着させて繋止した商品券用の紙箱である。【選択図】図２
2005186946.tif 000002
【特許請求の範囲】
【請求項１】
差込み片ａを連設した蓋面板２と後側面板３と底面板４と差込み孔ｂを設けた前側面板３と台形状の前飾り板５と折込み繋止片６ ,９ ,１０とを、５本の折り目線と仮折り線ｆと谷折り線ｅとを介して順に連設して、この底面板４の左右辺に、それぞれ折込み片８ ,８を連設した左右の側面板３ ,３とそれぞれ繋止凸部ｃを有する三角形状の左右の飾り板７ ,７とを、それぞれ２本の折り目線を介して順に連設して、前後の側面板３ ,３と左右の側面板３ ,３とを折立てて成る、上面を開放した偏平直方体状の商品券用の紙箱であって、それぞれ繋止凸部ｃを有する三角形状の左右の飾り板７ ,７を折倒して、また台形状の前飾り板５と折込み繋止片６ ,９ ,１０とを折倒して、仮折り線ｆと谷折り線ｅとを谷折りした折込み繋止片６ ,９ ,１０を、左右の飾り板７ ,７の繋止凸部ｃ ,ｃを挟んで折込んで、この谷折りした仮折り線ｆを開くことによって、左右の飾り板７ ,７の繋止凸部ｃ ,ｃに折込み繋止片６ ,９を、また前側面板３に折込み繋止片１０を、それぞれ密着させて繋止したことを特徴とする商品券用の紙箱。
【発明の詳細な説明】
【技術分野】
【０００１】
本発明は、デパートなどの商品券やビール券 ,図書券 ,米券などを収容する、組立て作業と収容作業とが容易な商品券用の紙箱に関する。
【背景技術】
【０００２】
従来から、デパートなどの商品券やビール券 ,図書券 ,米券などを収容する、例えば図４Ｂに示すような、通常の額縁二重壁式( ブランクの平面図を省略 )の上面を開放した偏平直方体状の箱体２０と、また例えば図４Ａに示すような、通常の二重壁式( ブランクの平面図を省略 )の下面を開放した偏平直方体状の蓋体３０と、から成る商品券用の紙箱が、一般に最も広く用いられている。
【発明の開示】
【発明が解決しようとする課題】
【０００３】
ところが従来の、図４Ｂに示す通常の額縁二重壁式の箱体２０については、予め底面板２１の内面側に、前後の折返し片２５ ,２５を貼着して( ワンタッチ式と通称する )あったとしても、前後左右の側面板２２ ,２２ ,２２ ,２２を折立てて、左右の上面額縁板２３ ,２３と側面内板２４ ,２４とを折込んで、左右の折返し片２５ ,２５を折返して繋止する必要があるために、また図４Ａに示す通常の二重壁式の蓋体３０については、予め蓋面板３１の内面側に、前後の図示していない折返し片を貼着して( ワンタッチ式と通称する )あったとしても、前後左右の側面板３２ ,３２ ,３２ ,３２を折下げて、左右の図示していない側面内板を折込んで、左右の図示していない折返し片を折返して繋止する必要があるために、それぞれの組立て作業がやゝ手間取ることが問題であって、デパートなどの商品券やビール券 ,図書券 ,米券などを、店頭で顧客の求めに応じて収容する前に、この額縁二重壁式の箱体２０と二重壁式の蓋体３０とから成る商品券用の紙箱を、予め組立てておく手間と置き場所とが必要であった。
【０００４】
そこで、本発明の目的は、デパートなどの商品券やビール券 ,図書券 ,米券などを、店頭で顧客の求めに応じて収容する前に、予め組立てておく必要がない、組立て作業と収容作業とが容易な商品券用の紙箱を提供することにある。
【課題を解決するための手段】
【０００５】
本発明の商品券用の紙箱は、図１Ａに示すように、差込み片ａを連設した蓋面板２と後側面板３と底面板４と差込み孔ｂを設けた前側面板３と台形状( 図１Ａでは逆台形状 )の前飾り板５と折込み繋止片６ ,９ ,１０とを、５本の折り目線( 符号がない１点鎖線、以下同じ )と仮折り線ｆと谷折り線ｅとを介して順に連設して、この底面板４の左右辺に、それぞれ折込み片８ ,８を連設した左右の側面板３ ,３とそれぞれ繋止凸部ｃを有する三角形状の左右の飾り板７ ,７とを、それぞれ２本の折り目線を介して順に連設して、前後の側面板３ ,３と左右の側面板３ ,３とを折立てて成る、図２Ａに示す上面を開放した偏平直方体状の商品券用の紙箱であって、図２Ｂ ,Ｃ ,Ｄに示すように、それぞれ繋止凸部ｃを有する三角形状の左右の飾り板７ ,７を折倒して、また台形状の前飾り板５と折込み繋止片６ ,９ ,１０とを折倒して、仮折り線ｆと谷折り線ｅとを谷折りした折込み繋止片６ ,９ ,１０を、左右の飾り板７ ,７の繋止凸部ｃ ,ｃを挟んで折込んで、この谷折りした仮折り線ｆを開くことによって、図３に示すように、左右の飾り板７ ,７の繋止凸部ｃ
,ｃに折込み繋止片６ ,９を、また前側面板３に折込み繋止片１０を、それぞれ密着させて繋止したことを特徴とする商品券用の紙箱である。
【０００６】
本発明の商品券用の紙箱においては、差込み片ａを連設した蓋面板２と後側面板３と底
面板４と差込み孔ｂを設けた前側面板３と台形状の前飾り板５と折込み繋止片６ ,９ ,１０とを、５本の折り目線と仮折り線ｆと谷折り線ｅとを介して順に連設して、この底面板４の左右辺に、それぞれ折込み片８ ,８を連設した左右の側面板３ ,３とそれぞれ繋止凸部ｃを有する三角形状の左右の飾り板７ ,７とを、それぞれ２本の折り目線を介して順に連設した、図１Ａに示す商品券用の紙箱のブランクを準備しておくだけで、
店頭で顧客の求めに応じて簡単な手作業で、前後の側面板３ ,３と左右の側面板３ ,３とを折立てて、それぞれ繋止凸部ｃを有する三角形状の左右の飾り板７ ,７を折倒して、また台形状の前飾り板５と折込み繋止片６ ,９ ,１０とを折倒して、仮折り線ｆと谷折り線ｅとを谷折りした折込み繋止片６ ,９ ,１０を、左右の飾り板７ ,７の繋止凸部ｃ ,ｃを挟んで折込んで、この谷折りした仮折り線ｆを開くことによって、左右の飾り板７ ,７の繋止凸部ｃ ,ｃに折込み繋止片６ ,９を、また前側面板３に折込み繋止片１０を、それぞれ密着させて繋止した後に、デパートなどの商品券やビール券 ,図書券 ,米券などを、台形状の前飾り板５と三角形状の左右の飾り板７ ,７とで囲んで体裁良く収容して、図１Ｂに示すように、差込み片ａを連設した蓋面板２を折倒して、前側面板３の差込み孔ｂに、この蓋面板２の差込み片ａを挿入して閉蓋することができる、組立て作業と収容作業とが容易な商品券用の紙箱を得ることができる。
【発明の効果】
【０００７】
以上、本発明の商品券用の紙箱においては、デパートなどの商品券やビール券 ,図書券
,米券などを、店頭で顧客の求めに応じて簡単な手作業で、体裁良く収容して閉蓋することができる、店頭で顧客の求めに応じて収容する前に、予め組立てておく必要がない、組立て作業と収容作業とが容易な商品券用の紙箱を提供することができる。
【発明を実施するための最良の形態】
【０００８】
(実施例１)
図１Ａは、本発明の実施例１における、商品券用の紙箱のブランクの平面図であって、図１Ｂは、商品券用の紙箱の閉蓋した状態を示す斜視図である。また図２Ａ ,Ｂ ,Ｃ ,Ｄは、本発明の実施例１における、商品券用の紙箱の組立て作業の状態を示す斜視説明図である。さらに図３は、本発明の実施例１における、商品券用の紙箱の折込み繋止片６ ,９
,１０を密着させて繋止した状態を示す部分断面図である。
【０００９】
すなわち、差込み片ａを連設した蓋面板２と後側面板３と底面板４と差込み孔ｂを設けた前側面板３と台形状の前飾り板５と折込み繋止片６ ,９ ,１０とを、５本の折り目線と仮折り線ｆと谷折り線ｅとを介して順に連設して、この底面板４の左右辺に、それぞれ折込み片８ ,８を連設した左右の側面板３ ,３とそれぞれ繋止凸部ｃを有する三角形状の左右の飾り板７ ,７とを、それぞれ２本の折り目線を介して順に連設した、図１Ａに示す商品券用の紙箱のブランクであって、表面に美麗な印刷をした３５０ｇ／ｍ2 の裏白コートボール紙を用いて、通常の打抜型を用いた打抜工程で、縦と横と深さとが７６×１７５×１５ｍｍの、図２Ａに示す上面を開放した偏平直方体状の商品券用の紙箱の、工程が簡単で作製費用が廉価な一枚物のブランクを作製した。
【００１０】
次に、店頭で顧客の求めに応じて簡単な手作業で、又は店頭以外で予め簡単な手作業で、図１Ａに示す商品券用の紙箱のブランクの、全ての符号がない１点鎖線で示す折り目線を山折りして、また仮折り線ｆと谷折り線ｅとを谷折りして、図２Ａ ,Ｂ ,Ｃ ,Ｄに示すように、前後の側面板３ ,３とそれぞれの折込み片８ ,８を折込んだ左右の側面板３ ,３とを折立てて、それぞれ繋止凸部ｃを有する三角形状の左右の飾り板７ ,７を折倒して、また台形状の前飾り板５と折込み繋止片６ ,９ ,１０とを折倒して、仮折り線ｆと谷折り線ｅとを谷折りした折込み繋止片６ ,９ ,１０を、左右の飾り板７ ,７の繋止凸部ｃ ,ｃを挟んで折込んで、この谷折りした仮折り線ｆを開くことによって、図３に示すように、左右の飾り板７ ,７の繋止凸部ｃ ,ｃに折込み繋止片６ ,９を、また前側面板３に折込み
繋止片１０を、それぞれ密着させて繋止した、図２Ｄに示す貼着工程などを必要としない商品券用の紙箱を作製した。
【００１１】
本実施例１の商品券用の紙箱においては、工程が簡単で作製費用が廉価な一枚物の、図１Ａに示す商品券用の紙箱のブランクを作製して準備しておくだけで、店頭で顧客の求めに応じて簡単な手作業で、又は店頭以外で予め簡単な手作業で、図２Ｄに示す貼着工程などを必要としない商品券用の紙箱を作製した後に、デパートなどの商品券やビール券 ,図書券 ,米券などを、台形状の前飾り板５と三角形状の左右の飾り板７ ,７とで囲んで体裁良く収容して、図１Ｂに示すように、差込み片ａを連設した蓋面板２を折倒して、前側面板３の差込み孔ｂに、この蓋面板２の差込み片ａを挿入して閉蓋することができる、組立て作業と収容作業とが容易な商品券用の紙箱を得ることができた。
【産業上の利用可能性】
【００１２】
本発明の、工程が簡単で作製費用が廉価な一枚物のブランクを準備しておくだけで、店頭で顧客の求めに応じて簡単な手作業で、又は店頭以外で予め簡単な手作業で、貼着工程などを必要としない商品券用の紙箱を作製した後に、デパートなどの商品券やビール券 ,図書券 ,米券などを、体裁良く収容して閉蓋することができる、組立て作業と収容作業とが容易な商品券用の紙箱については、高級菓子類や各種装飾品や文具書籍などを、台形状の前飾り板５と三角形状の左右の飾り板７ ,７とで囲んで体裁良く収容する、組立て作業と収容作業とが容易な紙箱として、そのまま幅広く利用することができる。
【図面の簡単な説明】
【００１３】
【図１】本発明の実施例１における、図１Ａは、商品券用の紙箱のブランクの平面図であって、図１Ｂは、商品券用の紙箱の閉蓋した状態を示す斜視図である。
【図２】本発明の実施例１における、図２Ａ ,Ｂ ,Ｃ ,Ｄは、商品券用の紙箱の組立て作業の状態を示す斜視説明図である。
【図３】本発明の実施例１における、商品券用の紙箱の折込み繋止片６ ,９ ,１０を密着させて繋止した状態を示す部分断面図である。
【図４】図４Ａ ,Ｂは、従来の商品券用の紙箱の斜視図である。
【符号の説明】
【００１４】
２            …蓋面板
３            …側面板
４            …底面板
５            …前飾り板
６ ,９ ,１０  …折込み繋止片
７            …左右の飾り板
８            …折込み片
ａ            …差込み片
ｂ            …差込み孔
ｃ            …繋止凸部
ｅ            …谷折り線
ｆ            …仮折り線
２０          …額縁二重壁式の箱体
２１          …底面板
２２          …側面板
２３          …上面額縁板
２４          …側面内板
２５          …折返し片
３０          …二重壁式の蓋体
３１          …蓋面板
３２          …側面板
【図１】
2005186946.tif 000003
【図２】
2005186946.tif 000004
【図３】
2005186946.tif 000005
【図４】
2005186946.tif 000006